(57)【要約】      （修正有）【課題】着用の仕方によってスカートに見えたりエプロンに見えたりする衣服があれば、一着の衣服の着用スタイルを変更するだけで、在来の独立したスカートやエプロンにはない着用時の興趣を高め、或は、見た目の楽しさを醸し出すことができるスカートエプロンの提供。【解決手段】スカート部SKの左右両側に、スカート着用者の前面又は背面に被さるスカート丈と略同長の翼状部1d，1eを設け、翼状部1d，1eの左，右端の上部にそれぞれ紐状乃至帯状のひも部材4L，4Rを取付けてなり、スカート部SKをスカートとして着用したとき、ひも部材4L，4Rを着用者Ｍの前面側で結ぶか、又は、背面側で結ぶことを選択することにより、翼状部1d，1eと結んだひも部材4L，4Rによってエプロンを着けているように見えたり、スカートを着用しているように見えるようにした。【選択図】図１
0003139590.tif 000002
【実用新案登録請求の範囲】
【請求項１】
スカート部の左右両側に、当該スカート着用者の前面又は背面に被さる前記スカート丈と略同長の翼状部を設け、該翼状部の左，右端の上部にそれぞれ紐状乃至帯状のひも部材を取付けてなり、前記スカート部をスカートとして着用したとき、前記ひも部材を着用者の前面側で結ぶか、又は、背面側で結ぶことを選択することにより、前記翼状部と結んだひも部材によってエプロンを着けているように見えたり、スカートを着用しているように見えるようにしたことを特徴とするスカートエプロン。
【請求項２】
スカート部をスカートとして着用せず、当該スカート部と翼状部とをそのまま広げて一枚のエプロンとして着用できる請求項１のスカートエプロン。
【考案の詳細な説明】
【技術分野】
【０００１】
本考案は一着の衣服で着用の仕方によってスカートに見えたり、エプロンに見えたりするほか、エプロンとしても利用することができる衣服、すなわちスカートエプロンに関する。
【背景技術】
【０００２】
従来、エプロンとスカートとは、全く別個に独立したデザインで制作されており、別々に着用するのがごく当り前の姿であった。
【考案の開示】
【考案が解決しようとする課題】
【０００３】
本考案の考案者は、スカートとエプロンが全く別個のものであった点に鑑み、着用の仕方によってスカートに見えたりエプロンに見えたりする衣服があれば、一着の衣服の着用スタイルを変更するだけで、在来の独立したスカートやエプロンにはない着用時の興趣を高め、或は、見た目の楽しさを醸し出すことができると考え、スカートエプロンの本考案を完成するに至ったものである。ここで、「スカートエプロン」は、便宜上の名称であり、従って、本考案の物品を「エプロンスカート」など、他の名称とすることは、任意である。
【課題を解決するための手段】
【０００４】
而して、本願の考案者が完成した本考案スカートエプロンの構成は、スカート部の左右両側に、当該スカート着用者の前面又は背面に被さる前記スカート丈と略同長の翼状部を設け、該翼状部の左，右端の上部にそれぞれ紐状乃至帯状のひも部材を取付けてなり、前記スカート部をスカートとして着用したとき、前記ひも部材を着用者の前面側で結ぶか、又は、背面側で結ぶことを選択することにより、前記翼状部と結んだひも部材によってエプロンを着けているように見えたり、スカートを着用しているように見えるようにしたことを特徴とするものである。
【０００５】
上記の本考案スカートエプロンにおいては、「スカート部」をスカートとして着用せず、当該スカート部と翼状部とをそのまま広げて一枚のエプロンとして着用することができる。
【考案の効果】
【０００６】
本考案では、スカート部の左右両側に、当該スカート着用者の前面又は背面に被さる前記スカート丈と略同長の翼状部を設け、該翼状部の左，右端の上部にそれぞれ紐状乃至帯状のひも部材を取付けてなり、スカートエプロンを構成したので、前記スカート部をスカートとして着用したとき、前記ひも部材を着用者の前面側で結ぶか、又は、背面側で結ぶことを選択することにより、エプロンを着けているように見えたり、スカートを着用しているように見えるから、着用時の興趣を高め、また、見た目の楽しさを醸し出すことができる。
【考案を実施するための最良の形態】
【０００７】
次に本考案スカートエプロンの実施形態の例について、図を参照して説明する。添付した図面において、図１は本考案スカートエプロンの正面図、図２は図１のスカートエプロンの背面図、図３は本考案スカートエプロンの着用状態の第一例を着用者の前面から見た正面図、図４は図３の着用状態の背面図、図５は本考案スカートエプロンの着用状態の第二例を着用者の前面から見た正面図、図６は図５の着用状態の背面図、図７は図１，図２の本考案スカートエプロンを、エプロンとして着用した状態の正面図、図８は図７の着用状態の背面図である。
【０００８】
図１，図２において、１は本考案スカートエプロンの布地で、適宜の丈（縦寸法）を有する布地の上辺1aを着用者のウエストに巻き付けられる程度の筒状に形成すると共に、下辺1bを上辺1aの側より少し大き目の筒状に形成してスカート部SKに形成されている。布地１によるスカート部SKは、その上端側にヨーク1cが配設されている。
【０００９】
1d，1eは布地１によるスカート部SKの左，右側に布地１と共布又は別布で形成した左右の翼状部である。上記スカート部SKと左右の翼状部1d，1eは１枚の布地で形成したり、図示した例のように、センターで繋いだ形態にするなど、布地１の使い方は、図示した例に限られない。また、翼状部1d，1eの正面形状も、図示した短冊状に限られるものではない。例えば、外側の縁を波形にするなどがある。さらに、スカート部SKや翼状部1d，1eに適宜プリーツを入れたりすることもある。2a，2bは、前記ヨーク1cの左右において翼状部1d，1eの上部に設けたポケット2a，2bである。
【００１０】
３は上記布地１によるスカート部SKにおいて、上端部に環状に縫着した環状のベルト部材で、当該ベルト部材３には、その後半側中央部にファスナ3aを設け、スカート部SKの着脱に際して、ベルト部材３とスカート部SKの上部を開閉できるようにしてある。なお、ベルト部材３には、伸縮自在のベルト部材を用い、生地１に伸縮性のものを用いると、ファスナ3aなどの開閉具は不要の場合がある。4L，4Rは上記布地１において、左右側の上端に取付けた帯状乃至紐状の左右のひも部材である。
【００１１】
上記のように構成され本考案スカートエプロンの一例は、図３〜図８に例示した態様で着用されるので、次にこの点について述べる。
【００１２】
図３，図４は、着用者Ｍ（図ではマネキン、以下、同じ）が、本考案スカートエプロンのスカート部SKをスカートとして着用するため、スカート部SKをはいてベルト部材３をウエストＷに装着したとき、左右のひも部材4L，4Rを着用者Ｍの前面側に持って来ると、スカート部SKの左右の翼状部1d，1eが、着用者Ｍの前面側に位置付けられるため、お洒落な装飾が付いたスカートをはいているように感じさせる。図３の着用状態における着用者Ｍの背面は図４のように見え、スカート部SKの背面が全面的に見える。
【００１３】
一方、図５，図６は、図３，図４の場合と同様に、着用者Ｍが本考案スカートエプロンを着用した姿の別例である。図５，図６においては、本考案スカートエプロンのスカート部SKを通常のスカートと同様の態様ではき、この状態で左右のひも部材4L，4Rを着用者Ｍの背面側に回しそこで両ひも部材4L，4Rを結んでいる。
この状態で着用者Ｍの正面側には、本考案スカートエプロンのスカート部SKの全面が見えるので、あたかも通常のスカートを着用しているように見える。
しかし、着用者Ｍの背面側では、スカート部SKの上に本考案スカートエプロンにおける左右側の翼状部1d，1eが被さり、またリボン結びのひも部材4L，4Rが見えるから、通常のエプロンを着用しているように見える。
【００１４】
図７，図８は、本考案スカートエプロンにおいて、スカート部SKをスカートしてはかず、スカート部SKと両側の翼状部1d，1eを一緒に広げた状態で、これを通常のエプロンの着用と同態様で着用した例の正面側の姿と背面側の姿である。
【産業上の利用可能性】
【００１５】
上記のように本考案スカートエプロンは、着用したとき、そのひも部材を着用者の前面側で結ぶか、背面側で結ぶかにより、お洒落なスカートに見えたり、エプロンを着用しているように見えたりして全く見た目の印象が変るから、着用することへの興趣を高めるのみならず、回りに居る者も見た目の楽しさを味わうことができる。
従って、本考案スカートエプロンは、実用性と趣味性とを兼備した日常生活用の衣服としてきわめて好適である。
【図面の簡単な説明】
【００１６】
【図１】本考案スカートエプロンの正面図。
【図２】図１のスカートエプロンの背面図。
【図３】本考案スカートエプロンの着用状態の第一例を着用者の前面から見た正面図。
【図４】図３の着用状態の背面図。
【図５】本考案スカートエプロンの着用状態の第二例を着用者の前面から見た正面図。
【図６】図５の着用状態の背面図。
【図７】図１，図２の本考案スカートエプロンを、エプロンとして着用した状態の正面図。
【図８】図７の着用状態の背面図。
【符号の説明】
【００１７】
SK        スカート部
１        布地
1d，1e    翼状部
2a，2b    ポケット
３        ベルト部材
4L，4R    ひも部材
Ｍ        着用者
Ｗ        着用者のウエスト
【図１】
0003139590.tif 000003
【図２】
0003139590.tif 000004
【図３】
0003139590.tif 000005
【図４】
0003139590.tif 000006
【図５】
0003139590.tif 000007
【図６】
0003139590.tif 000008
【図７】
0003139590.tif 000009
【図８】
0003139590.tif 000010